(57)【要約】【課題】取付作業中のアンテナのずれ落ちを抑制でき、かつ、取付後の振動等によるアンテナの回転を抑制可能であり、施工性が良好で低コストなアンテナ取付構造及びアンテナ取付金具を提供する。【解決手段】アンテナカバー４と、アンテナカバー４の下部にアンテナカバー４の下端の開口を覆うよう設けられた基部５と、を備えたアンテナ２と、アンテナ２の基部５を両側から挟み込み基部５を挟持するアンテナ挟持部８と、支持柱１０から延びるアーム１１に取り付けられるアーム取付部９と、を有し、アンテナ２を支持柱１０に取り付けるアンテナ取付金具３と、を有し、アンテナ２の基部５に、側方に突出する突起１４を形成すると共に、アンテナ取付金具３のアンテナ挟持部８に、突起１４を係止する係止孔１５を形成したものである。【選択図】図１
2015173382.tif 000002
【特許請求の範囲】
【請求項１】
アンテナカバーと、該アンテナカバーの下部に前記アンテナカバーの下端の開口を覆うよう設けられた基部と、を備えたアンテナと、
前記アンテナの前記基部を両側から挟み込み前記基部を挟持するアンテナ挟持部と、支持柱から延びるアームに取り付けられるアーム取付部と、を有し、前記アンテナを支持柱に取り付けるアンテナ取付金具と、を有し、
前記アンテナの前記基部に、側方に突出する突起を形成すると共に、
前記アンテナ取付金具の前記アンテナ挟持部に、前記突起を係止する係止孔を形成した
ことを特徴とするアンテナ取付構造。
【請求項２】
前記突起は、前記基部の周方向の対向する位置から径方向外方に突出するように形成される
請求項１記載のアンテナ取付構造。
【請求項３】
前記アンテナ取付金具は、２つの分割金具を締結固定するように構成されており、
該２つの分割金具は、同じ形状に形成されている
請求項１または２記載のアンテナ取付構造。
【請求項４】
前記突起の先端部外周には、ねじ山が形成されており、
前記突起を前記係止孔に通した後に、前記ねじ山にナットを螺合することで、前記基部と前記アンテナ取付金具とを固定するように構成されている
請求項１〜３いずれかに記載のアンテナ取付構造。
【請求項５】
前記アンテナが、オムニアンテナである
請求項１〜４いずれかに記載のアンテナ取付構造。
【請求項６】
アンテナカバーと、該アンテナカバーの下部に前記アンテナカバーの下端の開口を覆うよう設けられた基部と、を備えたアンテナを、支持柱に取り付けるアンテナ取付金具であって、
前記アンテナの基部を両側から挟み込み前記基部を挟持するアンテナ挟持部と、前記支持柱から延びるアームに取り付けられるアーム取付部と、を有し、
前記アンテナ挟持部に、前記アンテナの前記基部に側方に突出するように形成された突起を係止する係止孔を形成した
ことを特徴とするアンテナ取付金具。
【発明の詳細な説明】
【技術分野】
【０００１】
本発明は、アンテナ取付構造及びアンテナ取付金具に関するものである。
【背景技術】
【０００２】
移動体通信用基地局に用いられるオムニアンテナは、複数本で受信した信号のうち優れた信号を採用する、あるいは複数本で受信した信号を合成して使用するスペースダイバーシチに主に用いられている。スペースダイバーシチでは、１つの支持柱に複数本のアンテナを設置するのが一般的である。
【０００３】
スペースダイバーシチの効果をよりを高めるためには、各アンテナ間の距離を放射する周波数の波長によって決められた一定以上の距離に保つ必要がある。そのため、スペースダイバーシチを用いる場合、アンテナを取り付ける位置が支持柱から離れる。
【０００４】
ところで、移動体通信用基地局に用いられるアンテナは、より効率よく通信サービスのエリアを形成するために、高所に取り付けられるのが一般的である。高所においては、突発的に強風が吹くこともあり、アンテナの取付作業には危険が伴う。
【０００５】
特に、上述のオムニアンテナが使用されるような小規模な基地局においては、施工の規模から足場を構築することはほとんどなく、作業者が直接支持柱に塔上した後、支持柱に足を掛けながらアンテナの取付作業を行うことが多い。そのため、作業者は、支持柱から重心を離しながら作業しなければならないことになり、アンテナの取付作業は容易ではない。
【０００６】
オムニアンテナでは、水平面における全方向に電波を放射するため、放射部にアンテナ取付金具を取り付けることはできない。そのため、アンテナの下端部に設けられた金属製の基部をアンテナ取付金具で両側から挟持し固定すると共に、そのアンテナ取付金具を予め支持柱に設置されたアームに固定する構造が一般的である。
【０００７】
このようなアンテナ取付構造では、アンテナ取付金具によるアンテナの基部の挟持が十分でない場合に、アンテナが下方へずれ落ちてしまうおそれがある。上述のように、アンテナの取付作業は容易ではないため、アンテナをアンテナ取付金具に取り付けている最中に、アンテナが誤って下方にずれ落ちてしまうことも考えられる。
【０００８】
そこで、アンテナの落下を防ぐべくフェイルセーフの機能を持たせ、作業性を向上させたアンテナ取付構造が望まれている。
【０００９】
従来のアンテナ取付構造として、例えば、アンテナの基部に、下部がより小径となるような段差を形成し、その段差部分をアンテナ取付金具に係止させ支持させることで、アンテナが意図せず下方へずれ落ちてしまうことを抑制する構造が知られている。
【００１０】
なお、この出願の発明に関連する先行技術文献情報としては、特許文献１，２がある。
【先行技術文献】
【特許文献】
【００１１】
【特許文献１】特開２０１２−２０９７４０号公報
【特許文献２】特開２０１２−１２９９０２号公報
【発明の概要】
【発明が解決しようとする課題】
【００１２】
しかしながら、上述の基部に段差を設ける従来のアンテナ取付構造では、基部の母材の増加と加工時間の増加により高コストとなってしまう問題がある。そのため、できる限り施工性がよく、低コストに実現可能なアンテナ取付構造が求められている。
【００１３】
また、従来のアンテナ取付構造では、アンテナやそれに接続される同軸ケーブルが受ける風やカルマン渦、および地震による振動などにより、アンテナが周方向に回転してしまうおそれがある、という問題もある。
【００１４】
アンテナが周方向に回転すると、アンテナに接続されている同軸ケーブルに負荷がかかり、同軸ケーブルの接続用のコネクタや同軸ケーブルの電気特性を劣化させてしまうおそれがある。
【００１５】
そこで、本発明の目的は、上記課題を解決し、取付作業中のアンテナのずれ落ちを抑制でき、かつ、取付後の振動等によるアンテナの回転を抑制可能であり、施工性が良好で低コストなアンテナ取付構造及びアンテナ取付金具を提供することにある。
【課題を解決するための手段】
【００１６】
本発明は上記目的を達成するために創案されたものであり、アンテナカバーと、該アンテナカバーの下部に前記アンテナカバーの下端の開口を覆うよう設けられた基部と、を備えたアンテナと、前記アンテナの前記基部を両側から挟み込み前記基部を挟持するアンテナ挟持部と、支持柱から延びるアームに取り付けられるアーム取付部と、を有し、前記アンテナを支持柱に取り付けるアンテナ取付金具と、を有し、前記アンテナの前記基部に、側方に突出する突起を形成すると共に、前記アンテナ取付金具の前記アンテナ挟持部に、前記突起を係止する係止孔を形成したアンテナ取付構造である。
【００１７】
前記突起は、前記基部の周方向の対向する位置から径方向外方に突出するように形成されてもよい。
【００１８】
前記アンテナ取付金具は、２つの分割金具を締結固定するように構成されており、該２つの分割金具は、同じ形状に形成されていてもよい。
【００１９】
前記突起の先端部外周には、ねじ山が形成されており、前記突起を前記係止孔に通した後に、前記ねじ山にナットを螺合することで、前記基部と前記アンテナ取付金具とを固定するように構成されていてもよい。
【００２０】
前記アンテナが、オムニアンテナであってもよい。
【００２１】
また、本発明は、アンテナカバーと、該アンテナカバーの下部に前記アンテナカバーの下端の開口を覆うよう設けられた基部と、を備えたアンテナを、支持柱に取り付けるアンテナ取付金具であって、前記アンテナの基部を両側から挟み込み前記基部を挟持するアンテナ挟持部と、前記支持柱から延びるアームに取り付けられるアーム取付部と、を有し、前記アンテナ挟持部に、前記アンテナの前記基部に側方に突出するように形成された突起を係止する係止孔を形成したアンテナ取付金具である。
【発明の効果】
【００２２】
本発明によれば、取付作業中のアンテナのずれ落ちを抑制でき、かつ、取付後の振動等によるアンテナの回転を抑制可能であり、施工性が良好で低コストなアンテナ取付構造及びアンテナ取付金具を提供できる。
【図面の簡単な説明】
【００２３】
【図１】本実施形態に係るアンテナ取付構造を示す図であり、（ａ）はその斜視図、（ｂ）は支持柱に複数のアンテナを取り付けたときの斜視図である。
【図２】図１のアンテナ取付構造に用いるアンテナの斜視図である。
【図３】図１のアンテナ取付構造に用いるアンテナ取付金具を構成する分割金具を示す図であり、（ａ）は正面図、（ｂ）はアーム側から見た側面図、（ｃ）は上面図である。
【発明を実施するための形態】
【００２４】
以下、本発明の実施形態を添付図面にしたがって説明する。
【００２５】
図１は、本実施形態に係るアンテナ取付構造を示す図であり、（ａ）はその斜視図、（ｂ）は支持柱に複数のアンテナを取り付けたときの斜視図である。
【００２６】
また、図２は、図１のアンテナ取付構造に用いるアンテナの斜視図である。図３は、図１のアンテナ取付構造に用いるアンテナ取付金具を構成する分割金具を示す図であり、（ａ）は正面図、（ｂ）はアーム側から見た側面図、（ｃ）は上面図である。
【００２７】
図１〜３に示すように、アンテナ取付構造１は、アンテナ２をアンテナ取付金具３を用いて支持柱１０に取り付ける構造である。
【００２８】
アンテナ２は、水平面の全方向に電波を放射可能に構成されたオムニアンテナである。アンテナ２は、放射素子や回路基板等を収容するアンテナカバー（レドーム）４と、アンテナカバー４の下部にアンテナカバー４の下端の開口を覆うよう設けられた基部５と、を備えている。
【００２９】
アンテナカバー４は、上部が塞がれた中空円柱状に形成されており、例えば繊維強化プラスチック（ＦＲＰ）からなる。基部５は、金属からなり、その上部に形成された凹部にアンテナカバー４の下端部を収容し固定することで、アンテナカバー４に対して水密に固定されるようになっている。図示していないが、基部５の下部には、同軸ケーブル６の端部に設けられたコネクタ７を接続するアンテナ側コネクタが設けられている。
【００３０】
アンテナ取付金具３は、アンテナ２を支持柱１０に取り付けるためのものであり、アンテナ２の基部５を両側から挟み込み基部５を挟持するアンテナ挟持部８と、支持柱１０から延びるアーム１１に取り付けられるアーム取付部９と、を有している。アンテナ挟持部８とアーム取付部９とは、金属からなり、一体に形成されている。
【００３１】
支持柱１０の上端部には、アーム１１を固定するためのアーム固定台１２が一体に形成されている。アーム１１は、このアーム固定台１２の上面に一端部がボルト固定され、支持柱１０の径方向外方に向かって延出されている。
【００３２】
アーム固定台１２には、複数のアーム１１が取り付けられ、各アーム１１の他端部にアンテナ取付金具３を用いてアンテナ２が取り付けられる。アーム１１は、各アンテナ２間の距離が等しくなるように、支持柱１０の径方向に等間隔で配置される。また、アーム１１の長さは、各アンテナ２間の距離が、放射する周波数の波長によって決められた一定以上の距離となるように調整される。
【００３３】
本実施形態では、アンテナ取付金具３は、２つの分割金具３ａ，３ｂをボルト１３を用いて締結固定するように構成されている。分割金具３ａ，３ｂは、例えば鋳造により形成される。なお、アンテナ取付金具３を分割構造とせず一体構造とすることも考えられるが、この場合、鋳造の際の金型が大型化し、製造コストが大きくなってしまう。
【００３４】
アンテナ挟持部８は、その一部がアンテナ２の基部５の外周に沿う円弧状に形成されており、当該円弧状に形成された円弧部８ａでアンテナ２の基部５を挟持するように構成されている。本実施形態では、両分割金具３ａ，３ｂに円弧部８ａを形成しており、その両分割金具３ａ，３ｂの円弧部８ａで基部５を挟み込んだ状態で両分割金具３ａ，３ｂをボルト固定することにより、アンテナ２の基部５を挟持して固定するように構成されている。
【００３５】
なお、ここでは円弧部８ａのアーム取付部９側の４箇所、アーム取付部９と反対側の２箇所にて、ボルト１３による両分割金具３ａ，３ｂの締結を行うように構成しているが、締結箇所やその数はこれに限定されるものではない。ただし、アンテナ２の基部５を十分強固に挟持させるために、少なくとも、円弧部８ａの両側に上下２箇所ずつ、ボルト１３による締結箇所を設けることが望ましい。
【００３６】
アーム取付部９は、アーム１１の外周に沿う形状に形成される。ここでは、アーム１１として断面形状が矩形状であるものを用いているため、両分割金具３ａ，３ｂのアーム取付部９は、断面視で略コの字状（より詳細には、角を丸めたコの字状）に形成される。両分割金具３ａ，３ｂのアーム取付部９でアーム１１の他端部を挟み込んだ状態で両分割金具３ａ，３ｂをボルト固定することにより、アーム取付部９でアーム１１を挟持してアンテナ取付金具３がアーム１１に固定される。
【００３７】
なお、アーム１１やアーム取付部９の形状はこれに限定するものではないが、アーム１１やアーム取付部９の形状は、アーム１１の中心軸に対してアンテナ取付金具３が回転することを抑制できる形状とする必要がある。
【００３８】
さて、本実施形態に係るアンテナ取付構造１では、アンテナ２の基部５に、側方に突出する突起１４を形成すると共に、アンテナ取付金具３のアンテナ挟持部８に、突起１４を係止する係止孔１５を形成している。
【００３９】
このように構成することで、両分割金具３ａ，３ｂのボルト締結が十分でなく、アンテナ２の基部５をアンテナ挟持部８で十分に挟持できていない場合であっても、突起１４が係止孔１５に係止し、アンテナ２の下方へのずれ落ちを抑制することが可能になる。また、アンテナ２の取付後に振動が加わった場合であっても、突起１４が係止孔１５に係止しているために、アンテナ２が周方向に回転してしまうことも抑制可能になる。
【００４０】
本実施形態では、アンテナ２の基部５に略円柱状の突起１４を２つ形成しており、その２つの突起１４を、基部５の周方向の対向する位置から径方向外方に突出するように形成している。アンテナ２の基部５は、突起１４の突出方向が両分割金具３ａ，３ｂが対向する方向（締結方向）に沿うように配置される。突起１４を基部５の周方向の対向する位置から径方向外方に突出するように形成することで、両分割金具３ａ，３ｂが十分に締結されていない際に突起１４が係止孔１５から意図せず外れてしまうことをより抑制可能になる。
【００４１】
係止孔１５は、両分割金具３ａ，３ｂの円弧部８ａを貫通するように形成される。突起１４の長さは、基部５を円弧部８ａに当接させたときに、係止孔１５を通って裏側に突出する長さに形成されることが望ましい。つまり、突起１４の長さは、係止孔１５の周縁のアンテナ挟持部８の厚さよりも長く形成されることが望ましい。
【００４２】
係止孔１５は、アンテナ挟持部８の上下方向における中央部に形成され、両分割金具３ａ，３ｂは、上下対称形状に形成される。これにより、両分割金具３ａ，３ｂとして同じ形状のものを用いることが可能になり、部品点数の削減による低コスト化に寄与する。
【００４３】
さらに、本実施形態では、突起１４の先端部外周にねじ山を形成しており、突起１４を係止孔１５に通した後に、ねじ山にナット１６を螺合することで、アンテナ２の基部５とアンテナ取付金具３とを固定するように構成している。
【００４４】
これにより、両分割金具３ａ，３ｂを締結固定する前にアンテナ２をアンテナ取付金具３に仮固定することが可能となり、アンテナ２の下方へのずれ落ちをより抑制することが可能になる。
【００４５】
なお、アンテナ取付金具３側に突起を形成し、アンテナ２側に係止孔を形成することも考えられるが、この場合、係止孔が基部５の内部まで貫通して防水の問題が発生する。基部５を厚くして係止孔が内部まで貫通しないように構成することも考えられるが、その場合、基部５の母材が増加してコスト高につながる。また、突起１４をナット１６で固定する構成も困難になる。
【００４６】
以上説明したように、本実施形態に係るアンテナ取付構造１では、アンテナ２の基部５に、側方に突出する突起１４を形成すると共に、アンテナ取付金具３のアンテナ挟持部８に、突起１４を係止する係止孔１５を形成している。
【００４７】
これにより、困難なアンテナ２の取付作業においても、アンテナ２が誤って下方にずれ落ちてしまうことを抑制し、施工性を向上させると共に安全性を向上させることが可能になる。
【００４８】
また、アンテナ取付構造１では、突起１４を係止孔１５に係止させる構造とすることにより、取付後の振動等によるアンテナ２の回転を抑制することが可能になる。その結果、同軸ケーブル６に不要な負荷がかかることを抑制し、コネクタ７や同軸ケーブル６の電気特性の劣化を抑制することが可能になる。
【００４９】
さらに、アンテナ取付構造１では、アンテナ２の基部５に突起１４を設け、アンテナ取付金具３に係止孔１５を形成するという簡単な構成で実現できるため、基部５の厚さを増加させたり時間のかかる加工を行ったりする必要がなく、低コストで実現可能である。
【００５０】
また、アンテナ取付構造１では、アンテナ取付金具３を２つ同じ形状の分割金具３ａ，３ｂで構成しているため、部品点数を削減し、コストを削減することが可能になり、量産性に優れている。
【００５１】
本発明は上記実施形態に限定されるものではなく、本発明の趣旨を逸脱しない範囲で種々の変更を加え得ることは勿論である。
【符号の説明】
【００５２】
１  アンテナ取付構造
２  アンテナ
３  アンテナ取付金具
４  アンテナカバー
５  基部
８  アンテナ挟持部
９  アーム取付部
１０  支持柱
１１  アーム
１４  突起
１５  係止孔
【図１】
2015173382.tif 000003
【図２】
2015173382.tif 000004
【図３】
2015173382.tif 000005